(57)【要約】【課題】  蓋体の外周が全域にわたって養生カバーの鍔部で確実に保護され、舗装工事による舗装材，土砂等が蓋体に付着して蓋体を汚すことがないばかりか、蓋体を傷付けることもなく、しかも強風等で蓋体から養生カバーが離脱することもないと共に、吸盤取っ手又はマグネット取っ手を養生カバーに取り付けて作業を行えば養生カバーは任意，容易に移動させることができ、蓋体受け枠の周囲の鍔が存在した部分に隙間を作らずに舗装工事終了後に隙間に舗装材を埋める作業を行わないですむマンホール等の蓋体の養生カバー装置を提供する。【解決手段】  マンホール等の蓋体を覆う養生カバー装置１において、蓋体の外表面に対応する平坦面５と蓋体の外周全域にわたって嵌装される鍔部７とで構成された鋼製の養生カバー２と、該養生カバーの表面に着脱自在に配設され得る吸盤取っ手３とからなるマンホール等の蓋体の養生カバー装置。【選択図】        図２
2006265996.tif 000002
【特許請求の範囲】
【請求項１】
マンホール等の蓋体を覆う養生カバー装置において、蓋体の外表面に対応する平坦面と蓋体の外周全域にわたって嵌装される鍔部とで構成された鋼製の養生カバーと、該養生カバーの表面に着脱自在に配設され得る吸盤取っ手とからなるマンホール等の蓋体の養生カバー装置。
【請求項２】
前記吸盤取っ手に替えてマグネット取っ手とからなる請求項１に記載のマンホール等の蓋体の養生カバー装置。
【発明の詳細な説明】
【技術分野】
【０００１】
本発明は、道路等の舗装工事の際にマンホール等の蓋体を覆うマンホール等の蓋体の養生カバー装置に関するものである。
【背景技術】
【０００２】
従来，道路等の舗装工事の際にマンホール等の蓋体を覆うマンホール等の蓋体の養生カバーにおいて、ゴム製の本体の外周に設けた鍔に切欠部を有するゴム製の防護カバーをマンホール鉄蓋に被せて覆い蓋表面を防護するものがある（例えば特許文献１参照。）。
【０００３】
【特許文献１】特開２００４−２５７００９号公報
【発明の開示】
【発明が解決しようとする課題】
【０００４】
ところで、前記従来の技術では、本体の外周に設けた鍔に切欠部を有するものでそこに手を掛けてマンホール蓋体上からカバーを撤去するようにしているがその作業が難儀であると共にその切欠部によりマンホール蓋体に傷が付いたり舗装材が付着していまう虞がある。また、舗装工事終了によりカバーを撤去するとマンホール蓋受け枠の周囲の鍔が存在した部分に隙間ができ、その隙間に舗装材を埋める作業を行わなければならなかった。
【０００５】
本発明は、従来の技術の有するこのような問題点に鑑みてなされたものであり、その目的とするところは、蓋体の外周が全域にわたって養生カバーの鍔部で確実に保護され、舗装工事による舗装材，土砂等が蓋体に付着して蓋体を汚すことがないばかりか、蓋体を傷付けることもなく、しかも強風等で蓋体から養生カバーが離脱することもないと共に、吸盤取っ手又はマグネット取っ手を養生カバーに取り付けて作業を行えば養生カバーは任意，容易に移動させることができ、蓋体受け枠の周囲の鍔が存在した部分に隙間を作らずに舗装工事終了後に隙間に舗装材を埋める作業を行わないですむマンホール等の蓋体の養生カバー装置を提供しようとするものである。
【課題を解決するための手段】
【０００６】
上記目的を達成するために、本発明におけるマンホール等の蓋体の養生カバー装置は、蓋体の外表面に対応する平坦面と蓋体の外周全域にわたって嵌装される鍔部とで構成された鋼製の養生カバーと、該養生カバーの表面に着脱自在に配設され得る吸盤取っ手とからなるものである。
【０００７】
また、前記吸盤取っ手に替えてマグネット取っ手とからなるものである。
【発明の効果】
【０００８】
以上のように、蓋体の外周が全域にわたって養生カバーの鍔部で確実に保護され、養生カバーが鋼製で重量があることから、舗装工事による舗装材，土砂等が蓋体に付着して蓋体を汚すことがないばかりか、蓋体を傷付けることもなく、しかも強風等で蓋体から養生カバーが離脱することもない。また、吸盤取っ手又はマグネット取っ手を用いることで、重い養生カバーを蓋体に取り付けるとき及び養生カバーを蓋体から取り外すときにこの吸盤取っ手又はマグネット取っ手を養生カバーに取り付けて作業を行えば養生カバーは任意，容易に移動させることができる。さらに、鋼製の養生カバーの厚さを薄くしたので、蓋体受け枠の周囲の鍔が存在した部分に隙間を作らずに舗装工事終了後に隙間に舗装材を埋める作業を行わないですむマンホール等の蓋体の養生カバー装置となる。
【発明を実施するための最良の形態】
【０００９】
図１ないし図３は本発明に係るマンホール等の蓋体の養生カバー装置の一実施例に関するものであり、図１は蓋体の養生カバー装置の平面図、図２は図１の正面図、図３は蓋体の養生カバー装置をマンホール蓋に設置したときの要部拡大説明図である。
【００１０】
図において、１はマンホール等の蓋体の養生カバー装置であり、該養生カバー装置１は鋼製の養生カバー２と、該養生カバー２の表面に着脱自在に配設され得る吸盤取っ手３とから構成されている。
【００１１】
前記養生カバー２は、例えばマンホール蓋体４の外表面に対応する円形状の平坦面５と蓋体受け枠６の外周にわたって嵌装される鍔部７とで構成されている。
そして、前記平坦面５及び鍔部６は厚さ約１．２ｍｍの薄い金属板を板金し、該金属板表面に鍍金を施して腐食を防止している。
【００１２】
前記吸盤取っ手３は、合成樹脂製で、円形状の吸盤面８と指挿入孔９，９を設けた握り部１０と該吸盤面８の上部略外周近傍に形成した吸盤取っ手脱着用突起１１，１１とで一体成形されている。
【００１３】
以上のような構成からなるマンホール等の蓋体の養生カバー装置１であって、マンホールの存在する道路等の舗装工事の際に、先ずマンホール蓋体４が汚されたり，傷付けれたりするのを防止するために養生カバー２をマンホール蓋体４に覆わせる。この際、重い養生カバー２をマンホール蓋体４に取り付けるときに吸盤取っ手３を養生カバー２に取り付けて作業を行えば養生カバー２は任意，容易に移動させることができ、簡単に養生カバー２をマンホール蓋体４及び蓋体受け枠６に設置することができる。そして、マンホール蓋体４の外周が全域にわたって養生カバー２の鍔部７で確実に保護され、強風等でマンホール蓋体４から養生カバー２が離脱することもない。
【００１４】
次に、養生カバー２がマンホール蓋体４及び蓋体受け枠６に設置後には吸盤取っ手３の吸盤取っ手脱着用突起１１を指で引き上げて円形状の吸盤面８の端部に空気を挿入することにより、吸盤取っ手３は簡単に脱着されて養生カバー２の上部は平坦面５になり、舗装工事の邪魔にならない。
そして、舗装工事中は養生カバー２が鋼製で重量があることから、舗装作業車等が養生カバー２上を通過しても強度的に問題がないと共に舗装工事による舗装材，土砂等がマンホール蓋体４に付着してマンホール蓋体４を汚すことがないばかりか、マンホール蓋体４を傷付けることもない。
【００１５】
そして、舗装工事終了後はまだアスファルトが高温中に吸盤取っ手３を養生カバー２に取り付けて、該吸盤取っ手３の指挿入孔９，９に指を挿入して握り部１０を真上に引き上げることで養生カバー２をマンホール蓋体４から容易に取り外すことができる。この際、鋼製の養生カバー２の厚さを約１．２ｍｍと薄くしたので、蓋体受け枠６の周囲の鍔部７が存在した部分にアスファルトの隙間を作らず舗装工事終了後に隙間に舗装材を埋める作業等を行わないですむことができる。
【００１６】
なお、本実施例はマンホール蓋体４に設置する養生カバー２を円形状に形成したが、消火栓等に設置するために四角形状，多角形状に形成することも可能である。
【００１７】
図４及び図５は本発明に係るマンホール等の蓋体の養生カバー装置の他の実施例に関するもので、図４は吸盤取っ手に替えてマグネット取っ手としたマンホール等の蓋体の養生カバー装置の正面図、図５はマグネット取っ手の裏面図である。
【００１８】
図において、１２はマグネット取っ手であり、該マグネット取っ手１２は裏面に磁石１３，１３，…を貼着した長方形状の吸着部材１４と指挿入孔１５を設けた取っ手部１６と該取っ手部１６を傾到させることで出没可能な前記吸着部材１４内に配置された突出棒１７とで構成されている。そして、吸盤取っ手３に替えてマグネット取っ手１２とした以外は図１から図３に示した実施例と実質的に同一構成であるので同じ符号を付してその説明を省略する。
【００１９】
以上のような構成からなるマンホール等の蓋体の養生カバー装置であって、養生カバー２をマンホール蓋体４に覆わせる際に、前記マグネット取っ手１２の取っ手部１６を長方形状の吸着部材１４に対して垂直とし、マグネット取っ手１２の磁石１３，１３，…を養生カバー２の平坦面５の略中央部に取り付け、手で取っ手部１６を握りながら養生カバー２を任意，容易に移動させることができ、簡単に養生カバー２をマンホール蓋体４及び蓋体受け枠６に設置することができる。そして、養生カバー２がマンホール蓋体４及び蓋体受け枠６に設置後は取っ手部１６を吸着部材１４に向けて傾到させることにより、取っ手部１６の先端部で前記吸着部材１４内に配置された突出棒１７が磁石１３，１３，…を持ち上げるように突出し、養生カバー２の平坦面５よりマグネット取っ手１２は簡単に脱着され、養生カバー２の上部は平坦面５になり舗装工事の邪魔とならない。
【００２０】
また、舗装工事終了後は同様にマグネット取っ手１２の取っ手部１６を長方形状の吸着部材１４に対して垂直にしてマグネット取っ手１２の磁石１３，１３，…を養生カバー２の平坦面５の略中央部に取り付けた後、手で取っ手部１６を握りながら真上に引き上げることで養生カバー２をマンホール蓋体４から容易に取り外すことができ、養生カバー２を任意，容易に移動させることができる。
【図面の簡単な説明】
【００２１】
【図１】本発明の一の実施例に係るマンホール等の蓋体の養生カバー装置の平面図である。
【図２】図１の正面図である。
【図３】蓋体の養生カバー装置をマンホール蓋に設置したときの要部拡大説明図である。
【図４】本発明の他の実施例に係る吸盤取っ手に替えてマグネット取っ手としたマンホール等の蓋体の養生カバー装置の正面図である。
【図５】マグネット取っ手の裏面図である。
【符号の説明】
【００２２】
１                        マンホール等の蓋体の養生カバー装置
２                        養生カバー
３                        吸盤取っ手
４                        蓋体
５                        平坦面
７                        鍔部
１２                      マグネット取っ手
【図１】
2006265996.tif 000003
【図２】
2006265996.tif 000004
【図３】
2006265996.tif 000005
【図４】
2006265996.tif 000006
【図５】
2006265996.tif 000007